(57)【要約】【課題】脱臭剤の不潔感を感じる交換を無くすと共に、キャビネットが設置される部屋の脱臭や除菌も併せてできるようにする。【解決手段】キャビネット本体２にゴミ投入口３を開口すると共にキャビネット本体２の内部にゴミ箱４及び空気処理装置５を設け、空気処理装置５に、キャビネット本体２の外部から吸い込んでゴミ箱４へ送風する送風路９を形成し、送風路９に、正イオンと負イオンとを生成するイオン発生装置１１及び送風ファン１０を配置したこと。送風路９の上流側に、脱臭及び集塵を行うフィルタ部１２を、キャビネット本体２の外部から交換可能に配置してある。【効果】正イオンと負イオンとの化学反応によって生成した活性種である過酸化水素Ｈ２　Ｏ２　又はラジカル・ＯＨが極めて強力な活性を示すため、ゴミ箱４やキャビネットを設置した部屋Ｄの臭いやカビ菌等を除去することができる。【選択図】　図１
2004113529.tif 000002
【特許請求の範囲】
【請求項１】
キャビネット本体にゴミ投入口を開口すると共にキャビネット本体の内部にゴミ箱及び空気処理装置を設け、該空気処理装置に、キャビネット本体の外部から吸い込んでゴミ箱へ送風する送風路を形成し、該送風路に、正イオンと負イオンとを生成するイオン発生装置及び送風ファンを配置したことを特徴とするゴミ箱付きキャビネット。
【請求項２】
前記送風路の上流側に、脱臭及び集塵を行うフィルタ部を、前記キャビネット本体の外部から交換可能に配置した請求項１記載のゴミ箱付きキャビネット。
【請求項３】
前記送風路は、送風空気の一部をゴミ箱へ送風し、残部をゴミ箱へ送風することなくキャビネット本体の外部へ送風する請求項１又は２記載のゴミ箱付きキャビネット。
【発明の詳細な説明】
【０００１】
【発明の属する技術分野】
本発明は、キャビネット本体にゴミ箱及びイオン発生装置を内蔵したゴミ箱付きキャビネットに関するものである。
【０００２】
【従来の技術】
従来、便所等に設置されるゴミ箱付きキャビネットには、キャビネット本体にゴミ投入口を開口すると共にキャビネット本体の内部にゴミ箱を設けたものがある（例えば、特許文献１参照。）。また、便所に設置される使用済み生理用品等を収納するゴミ箱（サニタリーボックス）には、脱臭剤又は芳香剤を備えたものもある（例えば、特許文献２参照。）。
【０００３】
【特許文献１】
特開平１０−１５５６７２号公報
【特許文献２】
特開平１０−１２７５２９号公報
【０００４】
【発明が解決しようとする課題】
前者のゴミ箱付きキャビネットは、脱臭機能がないため、収納したゴミから発生する悪臭を設置場所である便所や洗面所等に拡散させることがある。そこで、前者のゴミ箱に、後者のゴミ箱（サニタリーボックス）の如く脱臭剤又は芳香剤を備えることが考えられるが、ゴミ箱に対して古くなった脱臭剤を交換するとき不潔感を感じる。
【０００５】
キャビネットが設置される便所又は洗面所等の部屋の全体を脱臭したり除菌する場合には、別途、空気清浄機を設置する必要がある。しかし、部屋に空気清浄機を設置すると部屋が狭くなり、部屋の使い勝手が悪くなる。
【０００６】
そこで、本発明は、上記問題を解決するために、脱臭剤の不潔感を感じる交換を無くすと共に、キャビネットが設置される部屋の脱臭や除菌も併せてできるゴミ箱付きキャビネットを提供するものである。
【０００７】
【課題を解決するための手段】
脱臭剤の不潔感を感じる交換を無くすと共に、キャビネットが設置される部屋の脱臭や除菌も併せてできるようにするために請求項１記載の本発明が採用した手段は、キャビネット本体にゴミ投入口を開口すると共にキャビネット本体の内部にゴミ箱及び空気処理装置を設け、該空気処理装置に、キャビネット本体の外部から吸い込んでゴミ箱へ送風する送風路を形成し、該送風路に、正イオンと負イオンとを生成するイオン発生装置及び送風ファンを配置したことを特徴とするゴミ箱付きキャビネットである。
本発明にあっては、送風ファンでキャビネット本体の外部から吸い込んだ空気中に、空気処理装置で同時に生成した正イオンと負イオンを含ませて、ゴミ箱及びキャビネット本体の外部へ送風することになり、正イオンと負イオンとの化学反応によって生成した活性種である過酸化水素Ｈ２　Ｏ２　又はラジカル・ＯＨが極めて強力な活性を示すため、ゴミ箱やキャビネットを設置した部屋の臭いやカビ菌等を除去することができる。
【０００８】
脱臭の向上及び集塵を行うために請求項２記載の本発明が採用した手段は、前記送風路の上流側に、脱臭及び集塵を行うフィルタ部を、前記キャビネット本体の外部から交換可能に配置した請求項１記載のゴミ箱付きキャビネットである。なお、脱臭フィルタとしては、活性炭等のような吸着型のものや、光触媒のように紫外線等の光線を照射することによって物質を分解する機能を有する分解型のものを使用することができ、集塵フィルタとしては、イオンで殺菌した細菌を除去することが可能なＨＥＰＡフィルタを組み合わしたものを使用することができる。
本発明にあっては、イオンの発生とともに副次的に発生するオゾンの悪臭や殺菌した細菌をフィルタ部で除去することができる。
【０００９】
送風空気の一部をキャビネットを設置した部屋へ直接送風できるようにするために請求項３記載の本発明が採用した手段は、前記送風路は、送風空気の一部をゴミ箱へ送風し、残部をゴミ箱へ送風することなくキャビネット本体の外部へ送風する請求項１又は２記載のゴミ箱付きキャビネットである。
本発明にあっては、ゴミ箱に接しない送風空気の正イオンと負イオンをキャビネット本体の外部へ直接送り出すことができる。
【００１０】
【発明の実施の形態】
以下、本発明に係るゴミ箱付きキャビネット（以下、「本発明キャビネット」という。）を図面に示す実施の形態に基づいて説明する。
【００１１】
（第１の実施の形態）
図１及び図２は本発明キャビネットの第１の実施の形態を示すものである。図１はキャビネット本体にゴミ箱を内蔵した状態を示すものであって、（Ａ）は左側面図、（Ｂ）は正面図である。図２はキャビネット本体からゴミ箱を備えたワゴンを引き出した状態を示す左側面図である。
【００１２】
本実施の形態に係る本発明キャビネット１は、キャビネット本体２にゴミ投入口３を開口すると共に、キャビネット本体２の内部にゴミ箱４及び空気処理装置５を設けてある。キャビネット本体２は、左右の側板２ａ，２ｂの間の内部空間が、上方の収納部Ａ、中間の収納部Ｂ及び下方の収納部Ｃに、天板２ｃと仕切板２ｄ，２ｅで区画されている。上方の収納部Ａは、正面に開閉扉６が取り付けられ、内部に棚板７が配置されている。中間の収納部Ｂは、空気処理装置５が内蔵されている。下方の収納部Ｃは、正面側から移動自在なワゴン８が出し入れできるようになっている。キャビネット本体２の手前側には、空気処理装置５をＯＮ／ＯＦＦするスイツチ１３が取り付けられている。
【００１３】
前記空気処理装置５は、キャビネット本体２の外部（本発明キャビネット１を設置した部屋Ｄ）から吸い込んでゴミ箱４へ送風する送風路９が形成されている。送風路９は、外部Ｄに開口する吸込口９ａと、ゴミ箱４へ送風する吹出口９ｂとを備え、その上流側に送風ファン１０が配置されると共に、下流側にイオン発生装置１１が配置されている。なお、上流側にイオン発生装置１１を配置すると共に、下流側に送風ファン１０を配置することも可能である。
【００１４】
前記イオン発生装置１１は、正イオンと負イオンとを生成する公知のもの（例えば、特開平２００２−６５８３６公報に記載のもの）が採用される。イオン発生装置１１は、図示は省略したが、一端部が閉管された円筒状の絶縁体であるガラス管を挟んで内側と外側にそれぞれ、金属のメッシュからなる筒状の外電極と内電極とが対向して配設され、外電極を接地電位として、内電極に高周波回路を用いて交流電圧を印加するようにしてある。交流電圧の条件は、例えば、周波数１５ｋＨｚ、電圧１．１〜１．４ｋＶ（実効値）とし、ガラス管の側面から正イオンと負イオンとを同時に生成するようにしてある。
【００１５】
前記イオン発生装置１１は、正イオンと負イオンとを同時に生成する以外に、負イオンのみを生成するように、前記外電極を接地電位として、前記内電極にマイナスの高電圧を印加するように回路構成することもある。この場合には、本発明キャビネット１を設置した部屋Ｄに人が入室したときに、部屋Ｄに備えた人体検出器（図示略）の検知信号や手動操作に基づいて、負イオンのみを生成するように回路を切り替え、部屋Ｄに負イオンを放出させてリフレッシュ効果を高めるようにする。部屋Ｄから人が退出したときには、人体検出器（図示略）の非検知信号に基づいて回路を切り替え、部屋Ｄに正イオンと負イオンとを放出する。この正イオンと負イオンとの放出は、タイマーで設定した時間だけ行われるようにする。
【００１６】
前記送風路９は、送風ファン１０やイオン発生装置１１よりも上流側に、脱臭及び集塵を行うフィルタ部１２が配置され、キャビネット本体２の外部から交換可能になっている。フィルタ部１２は、通風路９の上流側から、ポリプロピレン製ネット等からなるプレフィルタ、オゾン分解触媒が担持された活性炭からなる脱臭フィルタ、ＨＥＰＡ（Ｈｉｇｈ　Ｅｆｆｉｃｉｅｎｃｙ　Ｐａｒｔｉｃｕｌａｔｅ　Ａｉｒ　）フィルタが順次配置されてなるものであり、このように配置することにより、通常の塵埃を専らプレフィルタにて除去し、イオンの発生とともに副次的に発生するオゾンの悪臭・有害ガスや、ホルムアルデヒド、トルエン等の揮発性有機化合物（ＶＯＣ）を脱臭フィルタにて除去し、ＨＥＰＡフィルタでは花粉や殺菌後の細菌等の微小粒子を除去するようにし、ＨＥＰＡフィルタの交換頻度が少なくて済むような構成となっている。
【００１７】
前記ワゴン８は、前記キャビネット本体２の下方の収納部Ｃに対して、正面側から出し入れできるようになっており、前板８ａ、コロ８ｂ付き底板８ｃ及び棚板８ｄを連結して構成され、前板８ａの裏側上方にゴミ箱４の配置領域を形成し下方に収納領域を形成してある。ゴミ箱４は、ワゴン８に固定する場合と、着脱自在に載置する場合とがある。下方の収納部Ｃにワゴン８を収納したとき、ゴミ箱４は、ワゴン８の上方に形成されたゴミ投入口３から投入されるゴミを受けることができる。なお、ゴミ箱４は、ワゴン８に備えることなく、図示は省略したが、前記キャビネット本体２の下方の収納部Ｃに固定した棚板に載置させることもある。この場合には、下方の収納部Ｃの手前側を形成する開閉扉を開閉して、ゴミ箱４に溜まったゴミを除去できるようにする。
【００１８】
本実施の形態に係る本発明キャビネット１は、便所や洗面所等に設置され、ゴミ投入口３から投入したゴミをゴミ箱４に貯える。本発明キャビネット１は、送風ファン１０でキャビネット本体２の外部（部屋Ｄ）から吸い込んだ空気中に、空気処理装置５のイオン発生装置１１で同時に生成した正イオンと負イオンを含ませて、ゴミ箱４へ向けて吹き出し、ゴミ箱４のゴミに接触せた後にゴミ投入口３を介してキャビネット本体２の外部（部屋Ｄ）へ送り出すことになる。送風する空気は、正イオンと負イオンとの化学反応によって生成した活性種である過酸化水素Ｈ２　Ｏ２　又はラジカル・ＯＨが極めて強力な活性を示すため、ゴミ箱４やキャビネット１を設置した部屋Ｄの臭いやカビ菌等を除去することができる。部屋Ｄから吸い込む空気は、脱臭及び集塵を行うフィルタ部１２を通過する際に、オゾン等の悪臭や殺菌した細菌が除去される。フィルタ部１２の交換は、キャビネット本体２の外部から可能であるため、不快感を感じることなく行うことができる。
【００１９】
（第２の実施の形態）
図３は本発明キャビネットの第２の実施の形態を示すものであり、（Ａ）は左側面図、（Ｂ）は正面図である。
【００２０】
本実施の形態に係る本発明キャビネット２１が前記第１の実施の形態に係る本発明キャビネット１（図１及び図２参照）と大きく相違する点は、空気処理装置５で送風する空気の一部をキャビネットを設置した部屋へ直接送風できるようにしたことであり、この相違点以外の構成は、前記本発明キャビネット１と実質的に同一である。図３に記載した符号において図１及び図２に記載した符号と同一のものは、同一構成部材等を示している。
【００２１】
本発明キャビネット２１は、空気処理装置５に形成した送風路９の吹出口９ｂの外側にガイド板２２を配置して、吹出口９ｂから吹き出す空気の一部をガイド板２２で案内せずにゴミ箱４へ送風し、残部をガイド板２２で案内してキャビネット本体２の外部（部屋Ｄ）へ送風して、残部中の正イオンと負イオンを部屋Ｄへ直接送り出すことができるようにしてある。本発明キャビネット２１は、部屋Ｄを循環させる送風量が多いときに、ゴミ箱４の脱臭に必要な少量の送風量をゴミ箱４に吹き付け、多量の残部をゴミ箱に接触させることなく送風空気の正イオンと負イオンをキャビネット本体の外部へ直接送り出すようにしている。
【００２２】
なお、前記送風路９は、イオン発生装置１１より下流側を二股に分岐し、一方の分岐路の吹出口をゴミ箱４へ向け、他方の分岐路の吹出口をキャビネット本体２の外部（部屋Ｄ）に向けるようにすることもある。一方の分岐路に風量調節用のダンパーを設け、ゴミ箱４への送風量を調節できるようにすることもある。
【００２３】
【発明の効果】
請求項１記載の本発明キャビネットは、空気処理装置で生成した正イオンと負イオンを送風してゴミ箱やキャビネットを設置した部屋の臭いやカビ菌等を除去できるので、脱臭剤の不潔感を感じる交換が不要になると共に、部屋を狭くする空気清浄機を別途設置する必要がなくなり、部屋の使い勝手を向上させることができる。
【００２４】
請求項２記載の本発明キャビネットは、イオン発生装置で発生するオゾン等の悪臭や殺菌した細菌をフィルタで除去することで、脱臭の向上及び集塵を行うことができ、快適な空間を得ることができる。
【００２５】
請求項３記載の本発明キャビネットは、送風空気の残部をゴミ箱へ送風することなく正イオンと負イオンをキャビネット本体の外部へ直接送り出すことにより、キャビネットを設置した部屋に対する脱臭及び除菌の能力を高めることができる。
【図面の簡単な説明】
【図１】本発明キャビネットの第１の実施の形態を示すものであって、（Ａ）はキャビネット本体にゴミ箱を内蔵した状態を示す左側面図、（Ｂ）は同状態の正面図である。
【図２】第１の実施の形態においてキャビネット本体からゴミ箱を備えたワゴンを引き出した状態を示す左側面図である。
【図３】本発明キャビネットの第２の実施の形態を示すものであって、（Ａ）はキャビネット本体にゴミ箱を内蔵した状態を示す左側面図、（Ｂ）は同状態の正面図である。
【符号の説明】
２…キャビネット本体、３…ゴミ投入口、４…ゴミ箱、５…空気処理装置、９…送風路、１０…送風ファン、１１…イオン発生装置、１２…フィルタ部
【図１】
2004113529.tif 000003
【図２】
2004113529.tif 000004
【図３】
2004113529.tif 000005